(57)【要約】【課題】あらかじめ画像形成装置に対してユーザ毎の機能制限の設定を行わなくても、画像形成装置のユーザ毎の機能制限が有効に設定される画像形成システム及び画像形成装置を提供する。【解決手段】画像形成システム３００は、画像形成装置１００と携帯端末２００とを備え、画像形成装置１００は、機能制限リスト２０６１を携帯端末から取得する機能制限リスト取得部１０５と、機能制限リスト１０６０を作成する機能制限リスト作成部１０６と、機能制限リスト保持部１０７と、画像形成装置１００の機能制限を行う機能制限制御部１０８とを備え、携帯端末２００は、機能制限リスト２０６０から抽象化された機能制限リスト２０６１を作成する機能制限情報抽象化部２０４と、機能制限リスト２０６１を画像形成装置１００に送信する機能制限情報送信部２０５と、を備える。【選択図】図１
2018166246.tif 000002
【特許請求の範囲】
【請求項１】
携帯端末と、前記携帯端末と通信可能な画像形成装置とを備えた画像形成システムであって、
前記携帯端末は、
前記携帯端末に設定されている前記携帯端末の機能の使用制限に関する情報である第１の機能制限情報に基づき、使用制限の特徴を表す第２の機能制限情報を生成する携帯端末機能制限情報生成部と、
前記第２の機能制限情報を前記画像形成装置に送信する機能制限情報送信部と、を備え、
前記画像形成装置は、
前記第２の機能制限情報を前記携帯端末から取得する機能制限情報取得部と、
前記第２の機能制限情報に基づいて、前記画像形成装置の機能の使用制限に関する情報である第３の機能制限情報を生成する機能制限情報生成部と、
前記第３の機能制限情報に基づいて、前記画像形成装置の機能の使用制限の制御を行う機能制限制御部と、を備える
ことを特徴とする画像形成システム。
【請求項２】
前記画像形成装置は、
前記第２の機能制限情報と前記第３の機能制限情報との対応関係を示す割当表を記憶する第１の記憶部を更に備え、
前記機能制限情報生成部は、前記割当表に基づいて、前記第２の機能制限情報から前記第３の機能制限情報を生成する
ことを特徴とする請求項１に記載の画像形成システム。
【請求項３】
前記画像形成装置は、
前記第３の機能制限情報を保持する機能制限情報保持部を更に備え、
前記機能制限制御部は、前記機能制限情報保持部に保持された前記第３の機能制限情報に基づいて前記制御を行う
ことを特徴とする請求項１又は２に記載の画像形成システム。
【請求項４】
前記携帯端末は、
前記第１の機能制限情報と、前記第２の機能制限情報とを記憶する第２の記憶部を更に備える
ことを特徴とする請求項１から３のいずれか１項に記載の画像形成システム。
【請求項５】
前記第２の記憶部は、
前記第１の機能制限情報を前記第２の機能制限情報に変換するための抽象化変換表を更に記憶し、
前記携帯端末機能制限情報生成部は、前記抽象化変換表に基づいて、前記第１の機能制限情報を前記第２の機能制限情報に変換する
ことを特徴とする請求項４に記載の画像形成システム。
【請求項６】
携帯端末と通信可能な画像形成装置であって、
前記携帯端末に設定されている前記携帯端末の機能の使用制限に関する情報である第１の機能制限情報に基づく使用制限の特徴が表された第２の機能制限情報を前記携帯端末から取得する機能制限情報取得部と、
前記第２の機能制限情報に基づいて、前記画像形成装置の機能の使用制限に関する情報である第３の機能制限情報を生成する機能制限情報生成部と、
前記第３の機能制限情報に基づいて、前記画像形成装置の機能の使用制限の制御を行う機能制限制御部と、を備える
ことを特徴とする画像形成装置。
【請求項７】
前記第２の機能制限情報と前記第３の機能制限情報との対応関係を示す割当表を記憶する第１の記憶部を更に備え、
前記機能制限情報生成部は、前記割当表に基づいて、前記第２の機能制限情報から前記第３の機能制限情報を生成する
ことを特徴とする請求項６に記載の画像形成装置。
【請求項８】
前記第３の機能制限情報を保持する機能制限情報保持部を更に備え、
前記機能制限制御部は、前記機能制限情報保持部に保持された前記第３の機能制限情報に基づいて前記制御を行う
ことを特徴とする請求項６又は７に記載の画像形成装置。
【発明の詳細な説明】
【技術分野】
【０００１】
本発明は、携帯端末に設定されている機能制限を基に画像形成装置の機能制限の制御を行う画像形成システム、並びに、携帯端末と通信可能な画像形成装置に関する。
【背景技術】
【０００２】
従来、画像形成装置の機能をユーザ毎に制限するためには、ユーザ毎にどの機能を禁止するかをあらかじめ個々の装置に登録しておくか、管理サーバに登録しておく必要があった。特許文献１には、ユーザの属性情報があらかじめ登録された認証装置が各ユーザの認証を行うことにより、各機能の使用をユーザ毎に制限する画像形成装置及びその制御方法が記載されている。
【先行技術文献】
【特許文献】
【０００３】
【特許文献１】特開２０１１−０５９４４８号公報（例えば、段落００１２〜００３７）
【発明の概要】
【発明が解決しようとする課題】
【０００４】
しかしながら、個々の画像形成装置にユーザ毎の機能制限の設定を行うのは作業が煩雑であり、画像形成装置の記憶装置も圧迫する。また、管理サーバにユーザ毎の機能制限の設定を行い、画像形成装置が管理サーバを参照するようにするのでは、管理サーバのコストが掛かるという課題があった。
【０００５】
本発明は、上記の課題を解決するためになされたものであり、あらかじめ画像形成装置に対してユーザ毎の機能制限の設定を行わなくても、画像形成装置のユーザ毎の機能制限が有効に設定されることを特徴とする。
【課題を解決するための手段】
【０００６】
本発明の一態様に係る画像形成システムは、携帯端末と、前記携帯端末と通信可能な画像形成装置とを備えた画像形成システムであって、前記携帯端末は、前記携帯端末に設定されている前記携帯端末の機能の使用制限に関する情報である第１の機能制限情報に基づき、使用制限の特徴を表す第２の機能制限情報を生成する携帯端末機能制限情報生成部と、前記第２の機能制限情報を前記画像形成装置に送信する機能制限情報送信部と、を備え、前記画像形成装置は、前記第２の機能制限情報を前記携帯端末から取得する機能制限情報取得部と、前記第２の機能制限情報に基づいて、前記画像形成装置の機能の使用制限に関する情報である第３の機能制限情報を生成する機能制限情報生成部と、前記第３の機能制限情報に基づいて、前記画像形成装置の機能の使用制限の制御を行う機能制限制御部と、を備えることを特徴とする。
【０００７】
本発明の他の態様に係る画像形成装置は、携帯端末と通信可能な画像形成装置であって、前記携帯端末に設定されている前記携帯端末の機能の使用制限に関する情報である第１の機能制限情報に基づく使用制限の特徴が表された第２の機能制限情報を前記携帯端末から取得する機能制限情報取得部と、前記第２の機能制限情報に基づいて、前記画像形成装置の機能の使用制限に関する情報である第３の機能制限情報を生成する機能制限情報生成部と、前記第３の機能制限情報に基づいて、前記画像形成装置の機能の使用制限の制御を行う機能制限制御部と、を備えることを特徴とする。
【発明の効果】
【０００８】
本発明によれば、あらかじめ画像形成装置に対してユーザ毎の機能制限の設定を行わなくても、画像形成装置のユーザ毎の機能制限が有効に設定されるため、利便性が向上する。
【図面の簡単な説明】
【０００９】
【図１】本発明の実施の形態に係る画像形成システムの概略的な構成を示す図である。
【図２】実施の形態における携帯端末管理者による機能制限変更時の動作を示すフローチャートである。
【図３】実施の形態における携帯端末から画像形成装置への機能制限リストの送信の動作を示すフローチャートである。
【図４】実施の形態における画像形成装置の機能制限実施の動作を示すフローチャートである。
【図５】実施の形態における携帯端末の記憶装置に記憶される機能制限リストの一例を示す図である。
【図６】実施の形態における携帯端末の記憶装置に記憶される機能制限の抽象化変換表の一例を示す図である。
【図７】実施の形態における携帯端末の記憶装置に記憶される抽象化された機能制限リストの一例を示す図である。
【図８】画像形成装置がＭＦＰ（Ｍｕｌｔｉ  Ｆｕｎｃｔｉｏｎ  Ｐｒｉｎｔｅｒ）である場合の機能制限の割当表の一例を示す図である。
【図９】画像形成装置がＳＦＰ（Ｓｉｎｇｌｅ  Ｆｕｎｃｔｉｏｎ  Ｐｒｉｎｔｅｒ）である場合の機能制限の割当表の一例を示す図である。
【図１０】実施の形態における画像形成装置用の機能制限リストの一例を示す図である。
【発明を実施するための形態】
【００１０】
以下に、本発明の実施の形態に係る画像形成システムを、添付図面を参照しながら説明する。実施の形態において、画像形成システムは、記録媒体上に画像データに基づく画像を形成する画像形成装置と、画像形成装置と通信が可能な携帯端末とを含む。
【００１１】
実施の形態．
《１》構成
図１は、本発明の実施の形態に係る画像形成システム３００の概略的な構成を示す図である。図１に示されるように、実施の形態に係る画像形成システム３００は、画像形成装置１００と、携帯端末２００とを有する。
【００１２】
画像形成装置１００は、例えば、プリンタ、ファクシミリ機、複写機等のような単機能機であってもよいし、プリンタ、スキャナ、ファクシミリ機、複写機等の各種の機能を併せ持つ複合機、すなわち、ＭＦＰ（Ｍｕｌｔｉ  Ｆｕｎｃｔｉｏｎ  Ｐｒｉｎｔｅｒ）であってもよいし、インクジェット方式、電子写真方式、熱転写方式等の各種の画像形成方式を利用して、印刷用紙等の記録媒体に画像を形成することができるものであれば、いかなる種類のものであってもよい。
【００１３】
ここでは、画像形成装置１００が、ＭＦＰであるものとして説明する。なお、画像形成装置１００は、ＣＰＵ（Ｃｅｎｔｒａｌ  Ｐｒｏｃｅｓｓｉｎｇ  Ｕｎｉｔ）、ＭＰＵ（Ｍｉｃｒｏ  Ｐｒｏｃｅｓｓｉｎｇ  Ｕｎｉｔ）等の演算手段、半導体メモリ等の記憶手段、タッチパネル等の入力手段、液晶ディスプレイ等の表示手段、通信手段等を備え、ネットワーク環境下におけるプリンタとして機能することができる。
【００１４】
携帯端末２００は、スマートフォン等の携帯電話機である。携帯端末２００は、プリンタドライバやユーティリティ等のソフトウェアを内部に備えることができる。これにより、ユーザが画像形成装置１００に対して、印刷ジョブデータの送信、設定変更、その状態の監視や指令を双方向通信を使った指令又は管理を行うことができる。
【００１５】
図１に示されるように、画像形成装置１００は、プリンタ部１０１と、スキャナ部１０２と、表示部１０３と、操作部１０４と、機能制限情報取得部としての機能制限リスト取得部１０５と、機能制限情報生成部としての機能制限リスト作成部１０６と、機能制限情報保持部としての機能制限リスト保持部１０７と、機能制限制御部１０８と、第１の記憶部としての記憶装置１０９と、外部Ｉ／Ｆ（Ｉｎｔｅｒｆａｃｅ）１１０とで構成される。
【００１６】
プリンタ部１０１は、外部Ｉ／Ｆ１１０から受信した印刷データの印刷や、スキャナ部１０２で読取った原稿などを印刷する。スキャナ部１０２は、平台（Ｆｌａｔ  Ｂｅｄ）やオートドキュメントフィーダー（Ａｕｔｏ  Ｄｏｃｕｍｅｎｔ  Ｆｅｅｄｅｒ）に置かれた原稿を読み取る。
【００１７】
表示部１０３は、ユーザが操作するためのオペレータパネルの一部であり、画像形成装置１００の操作を行うための表示、ジョブの実行状態、スキャン画像のプレビュー、などを表示する。操作部１０４は、ユーザが操作するためのオペレータパネルの一部であり、ハードキーやタッチパネルから構成される。
【００１８】
機能制限リスト取得部１０５は、外部Ｉ／Ｆ１１０から携帯端末２００の機能制限リスト２０６１を取得する。機能制限リスト取得部１０５は、表示部１０３に携帯端末２００をＮＦＣ（Ｎｅａｒ  Ｆｉｅｌｄ  Ｃｏｍｍｕｎｉｃａｔｉｏｎ）接続させるための表示をするよう表示部１０３を制御し、画像形成装置１００を使えないようにロックする。機能制限リスト取得部１０５は、携帯端末２００がＮＦＣ接続された場合に、携帯端末２００の後述する機能制限リスト２０６１を取得する。
【００１９】
機能制限リスト作成部１０６は、機能制限リスト取得部１０５が取得した機能制限リスト２０６１と記憶装置１０９が保持する機能制限の割当表１０９０とから、画像形成装置１００用の第３の機能制限情報である機能制限リスト１０６０を作成する。
【００２０】
機能制限リスト保持部１０７は、機能制限リスト作成部１０６が作成した画像形成装置１００用の機能制限リスト１０６０をＲＡＭ（Ｒａｎｄｏｍ  Ａｃｃｅｓｓ  Ｍｅｍｏｒｙ）に保存する。
【００２１】
機能制限制御部１０８は、機能制限リスト保持部１０７が保持する画像形成装置１００用の機能制限リスト１０６０を参照し、ユーザが使用できない機能を表示しないように表示部１０３を制御する。
【００２２】
記憶装置１０９は、携帯端末２００の機能制限リスト２０６１の項目が、画像形成装置１００のどの機能に該当するのかをマッピングするための、機能制限の割当表１０９０を保持する。
【００２３】
外部Ｉ／Ｆ１１０は、携帯端末２００の外部ＩＦ２０７との間で通信を行うためのインタフェースである。外部Ｉ／Ｆ１１０には、携帯端末２００から機能制限リスト２０６１が送信される。外部Ｉ／Ｆ１１０は、有線ＬＡＮ（Ｌｏｃａｌ  Ａｒｅａ  Ｎｅｔｗｏｒｋ）、無線ＬＡＮ、又はＮＦＣ（Ｎｅａｒ  Ｆｉｅｌｄ  Ｃｏｍｍｕｎｉｃａｔｉｏｎ）などで構成される。
【００２４】
図１に示されるように、携帯端末２００は、表示部２０１と、操作部２０２と、機能制限制御部２０３と、携帯端末機能制限情報生成部としての機能制限情報抽象化部２０４と、機能制限情報送信部２０５と、第２の記憶部としての記憶装置２０６と、外部ＩＦ２０７とで構成される。なお、機能制限制御部２０３と、機能制限情報抽象化部２０４と、機能制限情報送信部２０５とは、携帯端末２００にインストールされた専用アプリに含まれる構成としてもよい。
【００２５】
表示部２０１は、ユーザが携帯端末２００の操作を行うための表示を行う。操作部２０２は、ユーザが携帯端末２００を操作するための操作部であり、ユーザは、操作部２０２により携帯端末２００の操作を行う。
【００２６】
機能制限制御部２０３は、記憶装置２０６が保持する携帯端末２００の機能制限が記載された機能制限リスト２０６０を参照し、ユーザが使用できない機能を表示しないように表示部２０１を制御する。
【００２７】
機能制限情報抽象化部２０４は、記憶装置２０６が保持する携帯端末２００の機能制限が記載された第１の機能制限情報としての機能制限リスト２０６０と、機能制限の抽象化変換表２０６２とを参照し、画像形成装置１００が解釈できる記載方式に抽象化し、第２の機能制限情報としての抽象化された機能制限リスト２０６１を生成する。抽象化された機能制限リスト２０６１は、携帯端末２００の使用制限の特徴を表す情報である。抽象化された機能制限リスト２０６１は、記憶装置２０６に保存される。
【００２８】
機能制限情報送信部２０５は、画像形成装置１００から抽象化された機能制限リスト２０６１の送信要求を受け取ると、記憶装置２０６から抽象化された機能制限リスト２０６１を読み出し、画像形成装置１００へ送信する。
【００２９】
記憶装置２０６は、携帯端末２００用の機能制限リスト２０６０と、画像形成装置１００用の抽象化された機能制限リスト２０６１と、機能制限の抽象化変換表２０６２とを保持する。
【００３０】
外部Ｉ／Ｆ２０７は、画像形成装置１００やＰＣ（Ｐｅｒｓｏｎａｌ  Ｃｏｍｐｕｔｅｒ）といったデバイスと双方向又は単方向の通信を行う。外部ＩＦ２０７は、有線ＬＡＮ、無線ＬＡＮ、又はＮＦＣで構成される。
【００３１】
《２》動作
図２は、実施の形態における携帯端末管理者による機能制限変更時の動作を示すフローチャートである。なお、携帯端末管理者とは、ユーザが使用する携帯端末２００をまとめて管理する者である。携帯端末管理者によって携帯端末２００の設定が行われた後に、ユーザに携帯端末２００が配布される。
【００３２】
図２に示されるように、携帯端末２００は、携帯端末管理者により機能制限の変更が行われると（ステップＳ１００）、機能制限制御部２０３が機能制限の抽象化変換表２０６２を参照し、画像形成装置１００が解釈可能な機能へ携帯端末２００の機能をマッピングし、画像形成装置１００に送信するための抽象化された機能制限リスト２０６１を作成する（ステップＳ１０１）。
【００３３】
図３は、実施の形態における携帯端末２００から画像形成装置１００への機能制限リスト２０６１の送信の動作を示すフローチャートである。図３に示されるように、携帯端末２００は、画像形成装置１００から抽象化された機能制限リスト２０６１の送信要求があるかどうかを監視する（ステップＳ２００）。送信要求があれば（ステップＳ２００においてＹＥＳ）、抽象化された機能制限リスト２０６１を画像形成装置１００へ送信する（ステップＳ２０１）。
【００３４】
図４は、実施の形態における画像形成装置１００の機能制限実施の動作を示すフローチャートである。図４に示されるように、ユーザにより携帯端末２００が画像形成装置１００にかざされると、画像形成装置１００の機能制限リスト取得部１０５は、携帯端末２００に外部Ｉ／Ｆ１１０を通して抽象化された機能制限リスト２０６１の送信要求を行う（ステップＳ３００）。機能制限リスト取得部１０５は、携帯端末２００から送られる抽象化された機能制限リスト２０６１を取得し、機能制限リスト作成部１０６へ渡す（ステップＳ３０１）。
【００３５】
続いて、機能制限リスト作成部１０６は、機能制限の割当表１０９０を参照し、抽象化された機能制限リスト２０６１から、画像形成装置１００が利用可能な機能制限リスト１０６０を生成し（ステップＳ３０２）、機能制限リスト１０６０を機能制限リスト保持部１０７に一時保存する（ステップＳ３０３）。
【００３６】
続いて、機能制限制御部１０８は、機能制限リスト保持部１０７に保存された機能制限リスト１０６０に基づき、画像形成装置１００において使用できる機能を表示するように表示部１０３などを制御する（ステップＳ３０４）。ユーザが画像形成装置１００を使い終わったら、機能制限リスト保持部１０７に一時保存していた機能制限リスト１０６０は破棄する（ステップＳ３０５）。なお、ユーザが画像形成装置１００を使い終わるとは、ログアウトしたとき、ユーザが画像形成装置１００から所定距離離れたとき、などをいう。
【００３７】
図５は、実施の形態における携帯端末２００の記憶装置２０６に記憶される機能制限リスト２０６０の一例を示す図である。図５には、携帯端末２００の機能のうち、カメラ機能のみ使えないように機能制限（スマホの使用機能制限）している例が示されている。図５に示されるように、携帯端末２００の機能のうち、ファイル共有機能、印刷機能、メール送受信機能、電話操作機能、及び外部ストレージの読み書き機能は、使用可能である。
【００３８】
図６は、実施の形態における携帯端末２００の記憶装置２０６に記憶される機能制限の抽象化変換表２０６２の一例を示す図である。図６に示されるように、機能制限の抽象化変換表２０６２には、「携帯端末機能」の項目と、「画像形成装置に送信する抽象化した情報」の項目があり、それぞれの「携帯端末機能」に対応する「画像形成装置に送信する抽象化した情報」が記載されている。
【００３９】
機能制限の抽象化変換表２０６２には、例えば、携帯端末機能の「カメラ」に対応する抽象化した情報として、「画像データ取り込み」が記載されている。この場合の抽象化した情報は、カメラが一般的に持つ性質（属性）を取り出して概念化して表現した情報である。
【００４０】
また、機能制限の抽象化変換表２０６２には、携帯端末機能の「電話操作」に対応する抽象化した情報として、「通話操作禁止」が記載されている。このように、「画像形成装置に送信する抽象化した情報」は、携帯端末機能をそのまま抽象化した情報に限らず、携帯端末機能を禁止する機能を抽象化した情報を含む。つまり、機能制限の抽象化変換表２０６２には、携帯端末機能「電話操作」を禁止する機能である「電話操作の禁止」に含まれる性質（例えば、「通話禁止」）を取り出して概念化して表現した情報である「通話操作禁止」が記載されている。
【００４１】
機能制限の抽象化変換表２０６２は、携帯端末２００の機能制限が記載された機能制限リスト２０６０から抽象化された機能制限リスト２０６１を生成するために用いられる。機能制限の抽象化変換表２０６２は、使用する携帯端末２００のメーカーなどに応じて準備することで、様々な種類の携帯端末２００を漏れなくマッピングすることが可能となり、携帯端末２００の種類の違いに対応することができる。
【００４２】
図７は、実施の形態における携帯端末２００の記憶装置２０６に記憶される抽象化された機能制限リスト２０６１の一例を示す図である。図７に示される抽象化された機能制限リスト２０６１は、機能制限情報抽象化部２０４が、図５に示される携帯端末２００の機能制限リスト２０６０を、図６に示される機能制限の抽象化変換表２０６２を用いて、抽象化された機能制限リスト２０６１に作り変えたものである。
【００４３】
図７に示されるように、携帯端末２００において使用制限がされたカメラ機能は、抽象化された機能制限リスト２０６１において反映されており、抽象化された機能制限リスト２０６１には「画像データ取り込み・・・（１）」が許可されない（×）と記載されている。なお、携帯端末２００の他の機能についても反映されており、抽象化された機能制限リスト２０６１には、許可（〇）と記載されている。
【００４４】
図８及び図９は、実施の形態における画像形成装置１００の機能制限の割当表１０９０の一例を示す図である。機能制限の割当表１０９０は、画像形成装置１００の機能制限リスト作成部１０６が、機能制限リスト２０６１から画像形成装置１００用の機能制限リスト１０６０を作成するために参照する対照表である。
【００４５】
図８は、画像形成装置１００がＭＦＰ（Ｍｕｌｔｉ  Ｆｕｎｃｔｉｏｎ  Ｐｒｉｎｔｅｒ）である場合の機能制限の割当表１０９０の一例を示す図であり、図９は、画像形成装置１００がＳＦＰ（Ｓｉｎｇｌｅ  Ｆｕｎｃｔｉｏｎ  Ｐｒｉｎｔｅｒ）である場合の機能制限の割当表１０９０の一例を示す図である。
【００４６】
図８及び図９には、「受信情報」の項目と、「受信情報」に対応する「禁止する機能」の項目が記載されている。図８に示されるように、例えば、受信情報に「（１）が禁止」と記載されている場合には、禁止する機能には、「Ｓｃａｎ  Ｔｏ  Ｂｏｘ」と記載されている。また、図９に示されるように、例えば、受信情報に「（３）が禁止」と記載されている場合には、禁止する機能には、「Ｐｒｉｎｔ，  ＵＳＢ  Ｔｏ  Ｐｒｉｎｔ」と記載されている。この割当表１０９０は、画像形成装置１００に適した機能を割り当てているが、装置管理者によって適切に変更できるようにしてもよい。
【００４７】
図１０は、実施の形態における画像形成装置１００用の機能制限リスト１０６０の一例を示す図である。画像形成装置１００用の機能制限リスト１０６０は、機能制限リスト保持部１０７に記憶され、保持される。機能制限リスト保持部１０７には、図１０に示されるリストの内、ひとつの列が保持される。
【００４８】
図１０には、各機能が制限されている例として、１０パターン（１０列）が示されている。機能制限リスト保持部１０７は、例えば、左端の一列のリストを機能制限リスト１０６０として記憶し、保持する。図１０に示されるように、左端の一列には、「Ｓｃａｎ  Ｔｏ  Ｂｏｘ」を許可しない（×）と記載されており、他の機能については許可する（〇）と記載されている。
【００４９】
《３》効果
以上のように、実施の形態に係る画像形成システム３００によれば、携帯端末２００に設定されている機能制限情報（機能制限リスト２０６０）から、画像形成装置１００用の機能制限情報（機能制限リスト１０６０）を生成することで、画像形成装置１００の機能制限を有効に設定することが可能となる。そのため、画像形成装置１００の機能制限を設定する手間を省くことができ、利便性が向上する。
【００５０】
また、実施の形態に係る画像形成システム３００によれば、携帯端末２００で禁止されている機能（例えば、カメラ機能）と同等の機能（例えば、Ｓｃａｎ  Ｔｏ  Ｂｏｘ）を画像形成装置１００において禁止することにより、画像形成装置１００を経由した情報の漏えいを防止することができ、画像形成装置１００のセキュリティが向上する。
【００５１】
《４》変形例
上記実施の形態では、画像形成装置１００の機能制限リスト取得部１０５が、携帯端末２００から送られる抽象化された機能制限リスト２０６１を取得し、続いて、機能制限リスト作成部１０６が、機能制限の割当表１０９０を参照し、抽象化された機能制限リスト２０６１から、画像形成装置１００が利用可能な機能制限リスト１０６０を生成していた。しかし、機能制限リスト１０６０の生成後、携帯端末２００のユーザによる画像形成装置１００の制限内容の確認及び認証を行ってもよい。
【００５２】
具体的には、携帯端末２００から送られる抽象化された機能制限リスト２０６１に基づいて画像形成装置１００用の機能制限リスト１０６０を生成後、機能制限リスト１０６０を携帯端末２００に送信して、携帯端末２００の画面上には機能制限リスト１０６０が表示される。携帯端末２００の画面上には、確認ボタンが表示され、ユーザが確認ボタン（ＯＫ）を押すと、当該機能制限リスト１０６０の制限による画像形成装置１００の使用が可能となる。
【００５３】
携帯端末２００の画面上に機能制限リスト１０６０が表示されたときに、「ログイン登録」を行うかを確認する表示を、携帯端末２００の画面上に表示してもよい。「ログイン登録」を行うことにより、次回のアクセスから登録されたユーザ名等が使用可能となる。「ログイン登録」を行うことにより、ユーザ名等とともに、ユーザの携帯端末２００における利用制限が画像形成装置１００に登録されるようにしてもよい。
【符号の説明】
【００５４】
１００  画像形成装置、  １０１  プリンタ部、  １０２  スキャナ部、  １０３  表示部（画像形成装置）、  １０４  操作部（画像形成装置）、  １０５  機能制限リスト取得部、  １０６  機能制限リスト作成部、  １０７  機能制限リスト保持部、  １０８  機能制限制御部（画像形成装置）、  １０９  記憶装置（画像形成装置）、  １１０  外部Ｉ／Ｆ（画像形成装置）、  ２００  携帯端末、  ２０１  表示部（携帯端末）、  ２０２  操作部（携帯端末）、  ２０３  機能制限制御部（携帯端末）、  ２０４  機能制限情報抽象化部、  ２０５  機能制限情報送信部、  ２０６  記憶装置（携帯端末）、  ２０７  外部Ｉ／Ｆ（携帯端末）、  ３００  画像形成システム、  １０９０  割当表、  ２０６０  機能制限リスト、  ２０６１  抽象化された機能制限リスト、  ２０６２  機能制限の抽象化変換表。
【図１】
2018166246.tif 000003
【図２】
2018166246.tif 000004
【図３】
2018166246.tif 000005
【図４】
2018166246.tif 000006
【図５】
2018166246.tif 000007
【図６】
2018166246.tif 000008
【図７】
2018166246.tif 000009
【図８】
2018166246.tif 000010
【図９】
2018166246.tif 000011
【図１０】
2018166246.tif 000012